(57)【要約】      （修正有）【課題】プラグを使用状態に容易に変えることができる構造を有することに加えて、ヨーロッパ型コンセントに適用した場合の安定性も向上するユニバーサルアダプタ構造を提供する。【解決手段】ユニバーサルアダプタ構造は、ケーシングと、コンセントユニットと、第１のプラグユニット１４と、第２のプラグユニット１６とを含む。第１のプラグユニット及び第２のプラグユニットは、いずれも、旋回ベース４０、６２と、２つの差込プラグ４２、６４と、駆動部材４４、６６とをそれぞれ備える。旋回ベースはケーシングに枢設されている。２つの差込プラグは旋回ベースに固定されている。駆動部材はケーシングに移動可能にするように設けられる。駆動部材を押圧して、旋回ベースを旋回させることにより、差込プラグの外端をケーシングから離れるように旋回させることができる。【選択図】図３
0003227032.tif 000002
【実用新案登録請求の範囲】
【請求項１】
内部に収容空間を有するとともに、一方の面に複数のコンセント開口を有するケーシングと、
前記ケーシングの収容空間に位置するとともに、前記コンセント開口にそれぞれ対応する複数のプラグ受けを有するコンセントユニットと、
前記ケーシングに設けられるとともに、第１の軸部、第１の軸方向から所定の距離だけ離間して配置された第１の駆動部、及び複数の第１の固定部を有する第１の旋回ベースと、前記第１の旋回ベースの前記第１の固定部に接続された複数の第１の差込プラグと、第１の駆動部材とを有する第１のプラグユニットと、
を含むユニバーサルアダプタ構造であって、
前記第１の旋回ベースは、前記第１の軸部を介して第１の軸方向に沿って前記ケーシングに枢設されており、
前記複数の第１の差込プラグは、前記コンセントユニットのプラグ受けにそれぞれ電気的に接続されており、
前記第１の駆動部材は、前記ケーシングに移動可能に設けられるとともに、前記第１の旋回ベースの前記第１の駆動部に対応する第１の当接部を有しており、、
前記第１の駆動部材が移動して、前記第１の当接部が前記第１の旋回ベースの第１の駆動部に押し付けられると、前記第１の旋回ベースにトルクが加えられて第１の旋回ベースが旋回されることにより、前記複数の第１の差込プラグの外端が、前記ケーシングから離れるように旋回される、ことを特徴とするユニバーサルアダプタ構造。
【請求項２】
前記ケーシングにはレールが設けられており、
前記第１の駆動部材には、前記第１の駆動部材を前記レールに沿って移動させるように前記レールと組み合わされる第１のガイド部が設けられている、ことを特徴とする請求項１に記載のユニバーサルアダプタ構造。
【請求項３】
前記ケーシングには切欠きが設けられており、
前記第１の駆動部材は前記切欠きに設けられている、ことを特徴とする請求項１に記載のユニバーサルアダプタ構造。
【請求項４】
前記ケーシングには複数の第１の差込プラグ溝が設けられており、
初期状態において、前記第１の差込プラグは、前記第１の差込プラグ溝に格納されている、ことを特徴とする請求項１に記載のユニバーサルアダプタ構造。
【請求項５】
前記第１のプラグユニットの前記第１の旋回ベースは、第１の本体部と、前記第１の本体部の両端に位置する、前記第１の本体部に垂直な方向に沿って延びる２つの第１の延在部とを有しており、
前記第１の駆動部及び前記第１の固定部は、前記第１の本体部に設けられており、
前記２つの第１の延在部には、前記第１の軸部がそれぞれ設けられている、ことを特徴とする請求項１に記載のユニバーサルアダプタ構造。
【請求項６】
前記第１の固定部はネジ穴であり、
前記第１の固定部は、締結部材を介して前記第１の差込プラグに通されて前記ネジ穴に締結される、ことを特徴とする請求項１に記載のユニバーサルアダプタ構造。
【請求項７】
第２の旋回ベースと、複数の第２の差込プラグと、第２の駆動部材とを有する、前記ケーシングに設けられた第２のプラグユニットを更に含んでおり、
前記第２の旋回ベースは、第２の軸部、第２の駆動部、及び複数の第２の固定部を有するとともに、前記第２の軸部を介して第２の軸方向に沿って前記ケーシングに枢設されており、
前記第２の駆動部は、前記第２の軸方向から所定の距離だけ離間するように配置され、
前記複数の第２の差込プラグは、前記第２の旋回ベースの前記第２の固定部に接続されるとともに、前記コンセントユニットのプラグ受けにそれぞれ電気的に接続されており、
前記第２の駆動部材は、前記ケーシングに移動可能に設けられるとともに、前記第２の旋回ベースの前記第２の駆動部に対応する第２の当接部を有しており、
前記第２の駆動部材が移動して、前記第２の当接部が前記第２の旋回ベースの第２の駆動部に押し付けられると、第２の旋回ベースにトルクが加えられて第２の旋回ベースが旋回されることにより、前記２つの第２の差込プラグの外端が、前記ケーシングから離れるように旋回される、ことを特徴とする請求項１に記載のユニバーサルアダプタ構造。
【請求項８】
前記第１のプラグユニットの第１の差込プラグの旋回方向は、前記第２のプラグユニットの第２の差込プラグの旋回方向と反対である、ことを特徴とする請求項７に記載のユニバーサルアダプタ構造。
【請求項９】
前記ケーシングにはレールが設けられており、
前記第２の駆動部材には、前記第２の駆動部材を前記レールに沿って移動させるように、前記レールと組み合わされる第２のガイド部が設けられている、ことを特徴とする請求項７に記載のユニバーサルアダプタ構造。
【請求項１０】
前記ケーシングには切欠きが設けられており、
前記第２の駆動部材は前記切欠きに設けられている、ことを特徴とする請求項７に記載のユニバーサルアダプタ構造。
【請求項１１】
前記ケーシングには複数の第２の差込プラグ溝が設けられており、
初期状態において、前記第２の差込プラグは、前記第２の差込プラグ溝に格納されている、ことを特徴とする請求項７に記載のユニバーサルアダプタ構造。
【請求項１２】
前記第２のプラグユニットの第２の旋回ベースは、第２の本体部と、前記第２の本体部の両端に位置するとともに、前記第２の本体部に垂直な方向に沿って延びる２つの第２の延在部とを有しており、
前記第２の駆動部及び前記第２の固定部は、前記第２の本体部に設けられており、
前記２つの第２の延在部には第２の軸部がそれぞれ設けられている、ことを特徴とする請求項７に記載のユニバーサルアダプタ構造。
【請求項１３】
前記第２の固定部は、それぞれパイプ部材であり、
前記第２の差込プラグは、パイプ部材にそれぞれ挿入されて固定されている、ことを特徴とする請求項７に記載のユニバーサルアダプタ構造。
【請求項１４】
前記第２のプラグユニットは、前記第２の旋回ベースに枢着されかつ前記第２の差込プラグに隣接する、複数の補助リブをさらに含む、ことを特徴とする請求項７に記載のユニバーサルアダプタ構造。
【請求項１５】
各前記補助リブは、前記第２の差込プラグを前記補助リブの溝内に一部位置させるように、前記第２の差込プラグに対向する溝をそれぞれ有する、ことを特徴とする請求項１４に記載のユニバーサルアダプタ構造。
【請求項１６】
前記ケーシングには枢着されたアース端子がさらに含まれている、ことを特徴とする請求項１または７に記載のユニバーサルアダプタ構造。
【請求項１７】
前記ケーシングにはアース端子溝が設けられており、
初期状態において、前記アース端子は前記アース端子溝に格納されている、ことを特徴とする請求項１６に記載のユニバーサルアダプタ構造。
【考案の詳細な説明】
【技術分野】
【０００１】
本考案は、電化製品に関し、特にユニバーサルアダプタ構造に関するものである。
【背景技術】
【０００２】
プラグ変換アダプタは、海外旅行に不可欠な用品であり、電化製品に係わるプラグに対し、最も基本的なタイプへの変換を提供することで、２つの異なる仕様のプラグとコンセントとを電化製品に電力を付与するように電気的に接続させることができる。本願考案者は、アダプタの開発に長い間取り組んでいる上に、台湾特許第Ｉ５０８３９８号、台湾特許第Ｉ４４５２６３号及び台湾特許第Ｉ４０６４６３号や、台湾実用新案公告第Ｍ４７４２８７号などを含む多くの特許を取得した。
【考案の概要】
【考案が解決しようとする課題】
【０００３】
携帯性を容易にするために、従来のアダプタのプラグは、使用されていない場合に、アダプタのケーシングに設けられた凹溝に格納されており、使用する場合に、指で平刃に力を加えて引き出すように仕組まれている。指の太い又は指の力が弱いユーザの場合、従来のアダプタの平刃をほじって引き出すのは簡単ではない。さらに、ヨーロッパ型コンセント（図８に示すヨーロッパ型コンセント８４など）には、ほぼ円形の凹部がある一方、従来のアダプタの外観は立方体構造が多いため、アダプタがヨーロッパで使用される場合、アダプタの差込みピンが部分的に円形の凹部に浮くようになって、安定性が低下し、わずかな外力で簡単に揺れる。
【０００４】
これに鑑みて、本考案は、プラグを使用状態に容易に変えることができる構造を有することに加えて、ヨーロッパ型コンセントに適用した場合の安定性も向上するユニバーサルアダプタ構造を提供することを目的とする。
【課題を解決するための手段】
【０００５】
上述の創作目的を達成するために、本考案は、内部に収容空間を有し、一方の面に複数のコンセント開口を有するケーシングと、前記ケーシングの収容空間に位置するとともに、前記コンセント開口にそれぞれ対応する複数のプラグ受けを有するコンセントユニットと、第１の軸部、第１の駆動部、及び複数の第１の固定部を有し、前記第１の駆動部が第１の軸方向から所定の距離だけ離間して配置され、前記第１の軸部を介して第１の軸方向に沿って前記ケーシングに枢設された第１の旋回ベースと、前記第１の旋回ベースの第１の固定部に接続され、前記コンセントユニットのプラグ受けにそれぞれ電気的に接続された複数の第１の差込プラグと、前記ケーシングに移動可能に設けられ、前記第１の旋回ベースの第１の駆動部に対応する第１の当接部を有する第１の駆動部材とを有し、前記ケーシングに設けられた第１のプラグユニットと、を含むユニバーサルアダプタ構造を提供する。
【０００６】
前記第１の駆動部材が移動して、前記第１の当接部が前記第１の旋回ベースの第１の駆動部に押し付けられると、前記第１の旋回ベースにトルクが加えられて第１の旋回ベースが旋回されることにより、前記２つの第１の差込プラグの外端が、前記ケーシングから離れるように旋回される。
【０００７】
一実施例では、前記ケーシングにレールが設けられている。前記第１の駆動部材には、前記第１の駆動部材を前記レールに沿って移動させるように前記レールと組み合わされる第１のガイド部が設けられている。
【０００８】
一実施例では、前記ケーシングには切欠きが設けられている。前記第１の駆動部材は前記切欠きに設けられている。
【０００９】
一実施例では、前記ケーシングには複数の第１の差込プラグ溝が設けられている。初期状態において、前記第１の差込プラグは、前記第１の差込プラグ溝に格納されている。
【００１０】
一実施例では、前記第１のプラグユニットの第１の旋回ベースは、第１の本体部と、前記第１の本体部の両端に位置するとともに、前記第１の本体部に垂直な方向に沿って延びる２つの第１の延在部とを有している。前記第１の駆動部及び前記第１の固定部は、前記第１の本体部に設けられている。前記２つの第１の延在部には前記第１の軸部がそれぞれ設けられている。
【００１１】
一実施例では、前記第１の固定部はネジ穴であって、締結部材を介して前記第１の差込プラグに通されて前記ネジ穴に締結される。
【００１２】
一実施例では、第２の旋回ベースと、複数の第２の差込プラグと、第２の駆動部材とを有する、前記ケーシングに設けられた第２のプラグユニットを更に含んでいる。前記第２の旋回ベースは、第２の軸部、第２の駆動部及び複数の第２の固定部を有している。前記第２の駆動部は前記第２の軸方向から所定の距離だけ離間しするように配置されている。前記第２の旋回ベースは、前記第２の軸部を介して第２の軸方向に沿って前記ケーシングに枢設されている。前記複数の第２の差込プラグは、前記第２の旋回ベースの第２の固定部に接続されるとともに、前記コンセントユニットのプラグ受けにそれぞれ電気的に接続されている。前記第２の駆動部材は、前記ケーシングに移動可能に設けられている。前記第２の駆動部材は、前記第２の旋回ベースの第２の駆動部に対応する第２の当接部を有する。前記第２の駆動部材が移動して、前記第２の当接部が前記第２の旋回ベースの第２の駆動部に押し付けられると、第２の旋回ベースにトルクが加えられて第２の旋回ベースが旋回されることにより、前記２つの第２の差込プラグの外端が前記ケーシングから離れるように旋回される。
【００１３】
一実施例では、前記第１のプラグユニットの第１の差込プラグの旋回方向は、前記第２のプラグユニットの第２の差込プラグの旋回方向と反対である。
【００１４】
一実施例では、前記ケーシングにはレールが設けられている。前記第２の駆動部材には、前記第２の駆動部材を前記レールに沿って移動させるように前記レールと組み合わされる第２のガイド部が設けられている。
【００１５】
一実施例では、前記ケーシングには切欠きが設けられている、前記第２の駆動部材は前記切欠きに設けられている。
【００１６】
一実施例では、前記ケーシングには複数の第２の差込プラグ溝が設けられている。初期状態において、前記第２の差込プラグは前記第２の差込プラグ溝に格納されている。
【００１７】
一実施例では、前記第２のプラグユニットの第２の旋回ベースは、第２の本体部と、前記第２の本体部の両端に位置するとともに、前記第２の本体部に垂直な方向に沿って延びる２つの第２の延在部とを有している。前記第２の駆動部及び前記第２の固定部は、前記第２の本体部に設けられている。前記２つの第２の延在部には第２の軸部がそれぞれ設けられている。
【００１８】
一実施例では、前記第２の固定部は、それぞれパイプ部材である。前記第２の差込プラグは、パイプ部材にそれぞれ挿入されて固定されている。
【００１９】
一実施例では、前記第２のプラグユニットは、前記第２の旋回ベースに枢着されて前記第２の差込プラグに隣接する複数の補助リブをさらに含む。
【００２０】
一実施例では、各前記補助リブは、前記第２の差込プラグを前記補助リブの溝内に一部位置させるように、前記第２の差込プラグに対向する溝をそれぞれ有する。
【００２１】
一実施例では、前記ケーシングには枢着されたアース端子をさらに含む。
【００２２】
一実施例では、前記ケーシングにはアース端子溝が設けられている。初期状態において、前記アース端子は前記アース端子溝に格納されている。
【考案の効果】
【００２３】
前記技術的手段により、ユーザは簡単な操作で差込プラグを外部に回すことができる他に、従来のアダプタを使用するときに一部のユーザが差込プラグを外部に回すことができないという問題を回避することができ、さらに、ヨーロッパ型コンセントに使用する際の安定性を向上させることができる。
【図面の簡単な説明】
【００２４】
【図１】図１は、本考案の好ましい実施例を示す斜視図である。
【図２】図２は、本考案の好ましい実施例を別の視点から示す斜視図である。
【図３】図３は、本考案の好ましい実施例を示す分解図である。
【図４】図４は、本考案の好ましい実施例を示す断面図であり、第１のプラグユニット及び第２のプラグユニットが格納状態にあることを示す。
【図５】図５は、本考案の好ましい実施例を示す断面図であり、第１のプラグユニットが使用状態に変えられたことを示す。
【図６】図６は、本考案の好ましい実施例を示す断面図であり、第２のプラグユニットが使用状態に変えられたことを示す。
【図７】図７は、本考案の好ましい実施例を示す斜視図であり、第1種類のプラグ型を示す。
【図８】図８は、本考案の好ましい実施例を示す斜視図であり、第２種類のプラグ型を示す。
【考案を実施するための形態】
【００２５】
以下は、本考案の目的及び効果にについて、好ましい実施例を挙げながら図面を参照して詳細に説明される。
【００２６】
以下に、本考案の精神及び主旨がより完全で理解しやすいために、異なる具体的実施例を挙げて本考案の実施例をより詳細に説明するが、本考案は、これらの実施例に限定されるものではなく、他の同一又は均等の機能及び工程を利用しても本考案を達成できることは当業者には明らかであろう。
【００２７】
本明細書で使用される科学及び技術的用語は、当業者によって一般に理解されるのと同じ意味を有する。さらに、本明細書で使用される単数名詞は、文脈と矛盾しない場合に名詞の複数型をカバーし、複数名詞が使用された際に単数名詞も含まれる。
【００２８】
さらに、以下の実施例で言及される「上」、「下」、「左」、「右」、「前」、「後」などの方向用語は、単に添付図面の方向を参照する方向である。したがって、使用される方向用語は本創作を制限するためではなく、説明のために使用される。さらに、以下の各実施例では、同一または類似の要素には同一又は類似の符号が付与される。
【００２９】
まず、図１から図３を参照すると、図１及び図２はそれぞれ、本考案の好ましい実施例に係るユニバーサルアダプタ構造を異なる視点から示す外観概略図、図３は、このユニバーサルアダプタ構造を示す分解図である。ユニバーサルアダプタ構造は、ケーシング１０と、コンセントユニット１２と、第１のプラグユニット１４と、第２のプラグユニット１６とを含む。
【００３０】
ケーシング１０は、ハウジング部材１８と蓋部材２０とを備える。ハウジング部材１８の内部に収容空間２２を有し、その一端に開口を備える。ハウジング部材１８の底面に複数のコンセント開口２４が設けられる。コンセントユニット１２は、ハウジング部材１８の収容空間２２に設けられ、コンセント開口２４に対応する複数のプラグ受け２６を備える。蓋部材２０は、ハウジング部材１８の開口に装着され、収容空間２２を閉鎖するために使用される。蓋部材２０の外面にアース端子溝２８が設けられ、アース端子溝２８の両側に第１の差込プラグ溝３０がそれぞれ設けられ、２つの第１の差込プラグ溝３０の外側に第２の差込プラグ溝３２がそれぞれ設けられる。蓋部材２０には、アース端子溝２８に沿った延在方向の両側にそれぞれ切欠き３４が設けられる。切欠き３４の対向する２つの側壁にレール３６がそれぞれ設けられる。アース端子溝２８に英国のプラグ仕様に対応するアース端子３８が枢設されている。格納する際には、アース端子３８を内側に回してアース端子溝２８に入れ、使用するときは、アース端子３８を外側に向かって直立状態に回す。
【００３１】
第１のプラグユニット１４は、第１の旋回ベース４０と、２つの第１の差込プラグ４２と、第１の駆動部材４４とを含む。第１の旋回ベース４０は、ほぼＵ字状の部材であり、第１の本体部４６と、第１の本体部４６の両端に位置すると共に、第１の本体部４６にほぼ垂直な方向に沿って延びる２つの第１の延在部４８とを備える。２つの第１の延在部４８は、外側に延びる第１の軸部５０をそれぞれ有し、２つの第１の軸部５０は、第１の軸方向Ｌ１に沿って延びる。第１の本体部４６の中央に第１の駆動部５２が設けられ、第１の駆動部５２の両側に第１の固定部５４がそれぞれ設けられる。第１の駆動部５２は、第１の軸方向Ｌ１ではなく、第１の軸方向Ｌ１から所定の距離を離して配置される。本実施例では、２つの第１の固定部５４は、第１の旋回ベース４０に設けられた２つのネジ穴であり、２つの第１の差込プラグ４２を第１の固定部５４に固定するために、２つの締結部材５６により第１の差込プラグ４２を貫通してネジ穴にねじ込まれる。なお、本実施例では、２つの締結部材５６はボルトである。
【００３２】
第１の旋回ベース４０は、蓋部材２０の下側に設けられ、第１の駆動部５２が切欠き３４に位置するように、２つの第１の軸部５０を介してハウジング部材１８に枢着され、２つの第１の差込プラグ４２は、蓋部材２０の１つの穴をそれぞれ挿通して２つの第１の差込プラグ溝３０内に延びる。２つの第１の差込プラグ４２は、２つのプラグ受け２６にそれぞれ電気的に接続されている。第１の駆動部材４４は、略Ｌ字状の板であり、ケーシング１０の切欠き３４に設けられる。第１の駆動部材４４の内側に第１の旋回ベース４０の第１の駆動部５２に対応する第１の当接部５８が設けられ、両側面に第１のガイド部６０がそれぞれ設けられている。２つの第１のガイド部６０が２つのレール３６と結合されることで、第１の駆動部材４４が２つのレール３６に沿って摺動可能のようにケーシング１０の切欠き３４に設けられる。
【００３３】
さらに、図１及び図４を参照すると、図４は、ユニバーサルアダプタ構造を示す断面図である。初期状態において、第１の駆動部材４４は押圧されておらず、２つの第１の差込プラグ４２は、２つの第１の差込プラグ溝３０に収容された格納位置に位置している。次に、図５に示すように、第１の駆動部材４４が押圧されて下方に移動すると、第１の旋回ベース４０にトルクを加えて第１の旋回ベース４０を旋回させるように、第１の当接部５８が第１の旋回ベース４０の第１の駆動部５２に押し付けられ、そして、２つの第１の差込プラグ４２の外端が、ケーシング１０から離間する方向に２つの第１の差込プラグ溝３０から離れて直立状態となる使用位置へ旋回する。本実施例では、第１の駆動部材４４を押すことにより、２つの第１の差込プラグ４２を所定の角度だけ外側に回転させることができる。このとき、２つの第１の差込プラグ４２の外端は２つの第１の差込プラグ溝３０から離れており、その後、ユーザは２つの第１の差込プラグ４２を使用位置までに移動させ続けることができる。
【００３４】
再び図１及び図３を参照すると、第２のプラグユニット１６は、第２の旋回ベース６２と、２つの第２の差込プラグ６４と、第２の駆動部材６６とを含む。第２の旋回ベース６２は、ほぼＵ字状の部材であり、第２の本体部６８と、第２の本体部６８の両端に位置し、第２の本体部６８に垂直な方向に沿って延びる２つの第２の延在部７０とを有する。２つの第２の延在部７０は、外側に延びる第２の軸部７２をそれぞれ有し、２つの第２の軸部７２は、第２の軸Ｌ２に沿って延びる。第２の本体部６８の中央に第２の駆動部７４を有し、第２の駆動部７４の両側に第２の固定部７６がそれぞれ設けられる。第２の駆動部７４は、第２の軸方向Ｌ２ではなく、第２の軸方向Ｌ２から所定の距離を離して配置される。本実施例では、２つの第２の固定部７６は、第２の旋回ベース６２に設けられた２つのパイプ部材であり、第２の差込プラグ６４は、２つのパイプ部材に挿入されて固定される。
【００３５】
第２の旋回ベース６２は、蓋部材２０の下方に設けられ、第１の旋回ベース４０の反対側に位置すると共に、第２の駆動部７４が他の切欠き３４に位置するように、２つの第２の軸部７２を介してハウジング部材１８に枢着され、２つの第２の差込プラグ６４は、蓋部材２０の１つの穴をそれぞれ挿通して２つの第２の差込プラグ溝３２内に延びる。２つの第２の差込プラグ６４は、２つのプラグ受け２６にそれぞれ電気的に接続されている。第２の駆動部材６６は、略Ｌ字状の板であり、ケーシング１０の切欠き３４に設けられる。第２の駆動部材６６の内側に第２の旋回ベース６２の第２の駆動部７４に対応する第２の当接部７７が設けられ、両側面に第２のガイド部７８がそれぞれ設けられる。２つの第２のガイド部７８が２つのレール３６と結合されることで、第２の駆動部材６６が２つのレール３６に沿って摺動可能のようにケーシング１０の切欠き３４に設けられる。
【００３６】
上述と同様に、再び図１及び図４を参照すると、初期状態では、第２の駆動部材６６は押圧されておらず、２つの第２の差込プラグ６４は、２つの第２の差込プラグ溝３２に収容された格納位置に位置している。次に、図６に示すように、第２の駆動部材６６が押圧されて下方に移動すると、第２の旋回ベース６２にトルクを加えて第２の旋回ベース６２を旋回させるように、第２の当接部７７が第２の旋回ベース６２の第２の駆動部７４に押し付けられ、そして、２つの第２の差込プラグ６４の外端がケーシング１０から離間する方向に２つの第２の差込プラグ溝３２に離れて直立状態となる使用位置へ旋回する。本実施例では、第２の駆動部材６６を押すことにより、２つの第２の差込プラグ６４を所定の角度だけ外側に回転させることができる。このとき、２つの第２の差込プラグ６４の外端は２つの第２の差込プラグ溝３２から離れており、その後、ユーザは２つの第２の差込プラグ６４を使用位置まで移動させ続けることができる。また、第１のプラグユニット１４の第２の差込プラグ４２の旋回方向は、第２のプラグユニット１６の第２の差込プラグ６４の旋回方向と反対である。
【００３７】
次に、図７を参照すると、図７は、ユニバーサルアダプタ構造の第１種類のプラグ型を示す。この実施例では、２つの第１の差込プラグ４２は、２枚の平行な平刃であり、台湾、日本、米国などの地域に適するプラグを形成する。
【００３８】
図３及び図８を参照すると、図８は、ユニバーサルアダプタ構造の第２種類のプラグ型を示す。この実施例では、第２のプラグユニット１６は、穴をそれぞれ有する２つの補助リブ８０をさらに備え、第２の旋回ベース６２の第２の軸部７２を２つの穴にそれぞれ挿通することで、２つの補助リブ８０を第２の旋回ベース６２に枢着すると共に２つの第２の差込プラグ６４の外側にそれぞれ設けられる。２つの補助リブ８０に２つの第２の差込プラグ６４に対向する溝８２がそれぞれ設けられ、２つの第２の差込プラグ６４の一部が溝８２内に位置することで、２つの補助リブ８０と２つの第２の差込プラグ６４とが共に移動することができる。また、第２の差込プラグ６４の各々は、回転により外に延出されるか内に引っ込められて固定される補助延在部６５を備える。図８を参照すると、２つの第２の差込プラグ６４と２つの補助リブ８０が使用位置まで回転されると、ヨーロッパ地域に適したプラグが形成される。当該地域のヨーロッパ型コンセント８４に挿入されると、２つの補助リブがヨーロッパ型コンセント８４の２つの凹溝８６に嵌め込まれ、本アダプタとコンセントと結合されたときの安定性が向上する。
【００３９】
上記説明したように、本考案は、第１の駆動部材及び第２の駆動部材の設計によって、従来の差込プラグを指で引き出す操作方法の代わりに、駆動部材を押すだけで、差込プラグを自力で使用状態まで旋回させることができ、より便利な操作モードを提供した。さらに、補助リブの設計によって、ユニバーサルアダプタをコンセントと結合されたときの安定性を向上させ、ヨーロッパ型コンセントに使用した場合の従来のスクエアアダプタの安定性不足問題を解決できた。
【００４０】
以上のように、本考案の主旨は、上記の例示的な実施例において具体的に説明されているが、本考案は、これらの実施例のみに限定されるものではない。本考案の精神及び範囲から逸脱することなく、様々な修正及び変更を行うことができ、例えば、前述の実施例に例示されている各技術的内容を新しい実施例になるように組み合わせまたは変更すると、これらの実施例ももちろん本考案に属する内容と見なされることを当業者は理解すべきであろう。したがって、本考案が保護しようとする範囲には、下記の特許請求の範囲とそれによって定義される範囲も含まれる。
【符号の説明】
【００４１】
１０          ケーシング
１２          コンセントユニット
１４          第１のプラグユニット
１６          第２のプラグユニット
１８          ハウジング部材
２０          蓋部材
２２          収容空間
２４          コンセント開口
２６          プラグ受け
２８          アース端子溝
３０          第１の差込プラグ溝
３２          第２の差込プラグ溝
３４          切欠き
３６          レール
３８          アース端子
４０          第１の旋回ベース
４２          第１の差込プラグ
４４          第１の駆動部材
４６          第１の本体部
４８          第１の延在部
５０          第１の軸部
５２          第１の駆動部
５４          第１の固定部
５６          締結部材
５８          第１の当接部
６０          第１のガイド部
６２          第２の旋回ベース
６４          第２の差込プラグ
６６          第２の駆動部材
６８          第２の本体部
７０          第１の延在部
７２          第２の軸部
７４          第２の駆動部
７６          第２の固定部
７７          第２の当接部
７８          第２のガイド部
８０          補助リブ
８２          溝
８４          ヨーロッパ型コンセント
８６          凹溝
Ｌ１          第１の軸方向
Ｌ２          第２の軸方向
【図１】
0003227032.tif 000003
【図２】
0003227032.tif 000004
【図３】
0003227032.tif 000005
【図４】
0003227032.tif 000006
【図５】
0003227032.tif 000007
【図６】
0003227032.tif 000008
【図７】
0003227032.tif 000009
【図８】
0003227032.tif 000010